(57)【要約】【課題】本発明の課題は、部隊における小火器の管理を省力化、電子化し、運用管理効率・安全性の向上を可能にする小火器及び小火器管理システムを提供することにある。【解決手段】本発明は、武器庫１１内に収納され、個別識別情報が記録されたＩＣタグ１４もしくは特殊インクラベル１５が装着された小火器１３と、ＩＣタグ１４もしくは特殊インクラベル１５が近づくか接触することによりＩＣタグ１４もしくは特殊インクラベル１５に記録された個別識別情報を読み取るリーダ１６と、リーダ１６で読み取られた個別識別情報が入力され、個別識別情報を記録および表示する端末１７と、武器庫１１の出入口１２に設けられ、武器庫１１への入退を検出する赤外線ビームセンサとを具備することを特徴とするものである。【選択図】図１
2008304121.tif 000002
【特許請求の範囲】
【請求項１】
個別識別情報が記録されたＩＣタグもしくは特殊インクラベルが装着されたことを特徴とする小火器。
【請求項２】
個別識別情報が記録されたＩＣタグもしくは特殊インクラベルが装着された小火器と、
前記ＩＣタグもしくは特殊インクラベルが近づくか接触することによりＩＣタグもしくは特殊インクラベルに記録された個別識別情報を読み取るリーダと、
前記リーダで読み取られた個別識別情報が入力され、個別識別情報を記録および表示する端末と
を具備することを特徴とする小火器管理システム。
【請求項３】
武器庫内に収納され、個別識別情報が記録されたＩＣタグもしくは特殊インクラベルが装着された小火器と、
前記ＩＣタグもしくは特殊インクラベルが近づくか接触することによりＩＣタグもしくは特殊インクラベルに記録された個別識別情報を読み取るリーダと、
前記リーダで読み取られた個別識別情報が入力され、個別識別情報を記録および表示する端末と、
前記武器庫の出入口に設けられ、武器庫への入退を検出する赤外線ビームセンサと
を具備することを特徴とする小火器管理システム。
【発明の詳細な説明】
【技術分野】
【０００１】
本発明は拳銃や小銃、機関銃などの携帯可能な火器である小火器の管理に使用される小火器及び小火器管理システムに関するものである。
【背景技術】
【０００２】
現在の小火器の管理は施錠により隔離された武器庫に小火器を収納して、訓練などで使用する度に管理者が現物に白ペンキなどで記入された部隊番号、火器識別番号等を目視確認して持ち出し内容を書面に記録し、訓練終了後に再度、持ち出し記録と照合し、現物を確認して収納している。特に一連の作業は電子化されていない。
【特許文献１】特開２００６−２２９６８３号公報
【特許文献２】特開２００１−１２１７９２号公報
【発明の開示】
【発明が解決しようとする課題】
【０００３】
従来の方法では多数の隊員が参加する訓練においては、持ち出し及び返納に多くの時間が掛かると共に、紛失や誤って持ち出されるケースもあり、管理上、安全上の課題があり、解決する必要があった。
【０００４】
本発明は上記の事情に鑑みてなされたもので、電波、光波等を利用した小火器個体識別管理、入退室管理を可能とし、部隊における小火器の管理を省力化、電子化し、運用管理効率・安全性の向上を可能とする小火器及び小火器管理システムを提供することを目的とする。
【課題を解決するための手段】
【０００５】
上記目的を達成するために本発明の小火器は、個別識別情報が記録されたＩＣタグもしくは特殊インクラベルが装着されたことを特徴とするものである。
【０００６】
また本発明の小火器管理システムは、個別識別情報が記録されたＩＣタグもしくは特殊インクラベルが装着された小火器と、前記ＩＣタグもしくは特殊インクラベルが近づくか接触することによりＩＣタグもしくは特殊インクラベルに記録された個別識別情報を読み取るリーダと、前記リーダで読み取られた個別識別情報が入力され、個別識別情報を記録および表示する端末とを具備することを特徴とするものである。
【０００７】
また本発明の小火器管理システムは、武器庫内に収納され、個別識別情報が記録されたＩＣタグもしくは特殊インクラベルが装着された小火器と、前記ＩＣタグもしくは特殊インクラベルが近づくか接触することによりＩＣタグもしくは特殊インクラベルに記録された個別識別情報を読み取るリーダと、前記リーダで読み取られた個別識別情報が入力され、個別識別情報を記録および表示する端末と、前記武器庫の出入口に設けられ、武器庫への入退を検出する赤外線ビームセンサとを具備することを特徴とするものである。
【発明の効果】
【０００８】
本発明の小火器及び小火器管理システムは、人員の目視確認のみに頼っていた小火器管理を電子化することが可能となり、訓練準備時間の短縮化、個体識別番号などの誤読防止による、管理精度の向上と小火器紛失の防止、安全性の向上を図ることが可能となる。
【発明を実施するための最良の形態】
【０００９】
以下図面を参照して本発明の実施の形態を詳細に説明する。
【００１０】
図１は本発明の実施形態に係る小火器管理システムを示す構成説明図である。図１において、１１は武器庫、１２は出入口、１３は小火器、１４はＩＣタグ、１５は特殊インクラベル、１６はリーダ（読取装置）、１７はパソコンなどの端末、１８は赤外線発生器、１９は赤外線受光器、２０は赤外線ビームである。前記赤外線発生器１８及び赤外線受光器１９は赤外線センサを構成する。
【００１１】
武器庫１１内には例えば拳銃や小銃、機関銃などの携帯可能な火器である多数の小火器１３が収納され、各小火器１３の銃床などにはＩＣタグ１４及び特殊インクラベル１５が装着される。前記ＩＣタグ１４及び特殊インクラベル１５には例えば部隊番号、火器識別番号などの個別識別情報が記録され、ＩＣタグ１４及び特殊インクラベル１５がリーダ１６に近づくか接触することによりＩＣタグ１４もしくは特殊インクラベル１５に記録された個別識別番号などの個別識別情報がリーダ１６に読み取られる。リーダ１６に読み取られた個別識別情報はパソコン等の端末１７に伝送され、端末１７の記憶装置に記録されると共に表示部に表示される。
【００１２】
武器庫１１の出入口１２には赤外線センサの赤外線発生器１８及び赤外線受光器１９が対向して設置され、赤外線発生器１８から発射した複数の赤外線ビーム２０は対応した赤外線受光器１９で受光される。隊員などが武器庫１１への入退のため出入口１２を通過する度に、複数の赤外線ビーム２０が遮断され、赤外線受光器１９は複数の赤外線ビーム２０の変化から隊員などの武器庫１１への入退を検出して管理することができる。
【００１３】
ＩＣタグ１４は、超小型のＩＣチップであり、リーダ１６と電波を用いて無線通信を行うことにより、ＩＣタグ１４がリーダ１６に近づくか接触したときに、ＩＣタグ１４に記録された個別識別番号などの個別識別情報がリーダ１６に読み取られる。ＩＣタグ１４は小型・軽量で、小火器１３に装着した場合でも射手に負荷をかけることなく、使用することができる。ＩＣタグ１４は小火器１３の銃床内部等に収納することで、訓練動作などでも負荷が掛からず射撃動作などの運用にも支障が生じない。リーダ１６はＩＣタグ１４を装着した小火器１３を近づけることにより非接触で個体識別番号などを読み取る。
【００１４】
特殊インクラベル１５に用いられる特殊インクは特殊な波長の光にのみ反応する例えば特許文献２に記載された目に見えないインクなどであり、肉眼では確認できないため、秘匿性が高く、個体識別管理の安全性を高められる。リーダ１６は特殊インクラベル１５の特殊インクに対して特定の波長の光波を放射し、反射光を電気信号に変換して画像処理し、個体識別番号などの個別識別情報を判別する。
【００１５】
図２は本発明の実施形態に係る小火器の銃床を示す側面図である。図２に示すように、小火器の銃床２１には特殊インク（非可視インク）を使用したペン、スタンプ等で数桁の数字の個体識別番号（または文字など）が表示された特殊インクラベル２２が装着される。
【００１６】
図３は本発明の実施形態に係るリーダを示す背面斜視図、図４は本発明の実施形態に係るリーダを示す前面斜視図、図５は本発明の実施形態に係るリーダを示す構成説明図である。すなわち、リーダ２３の背面には発光部２４、カメラ２５、ＩＣタグ読取部２６が設けられ、リーダ２３の上面には表示部２７が設けられる。前記発光部２４は制御部２８を介して操作部２９に接続される。前記カメラ２５は画像処理部３０を介して表示部２７に接続され、前記画像処理部３０は前記制御部２８に接続されると共にパソコン等の端末（図示せず）に接続される。前記ＩＣタグ読取部２６は信号処理部３１に接続され、前記信号処理部３１は前記制御部２８に接続されると共にパソコン等の端末（図示せず）に接続される。リーダ２３には電源部３２が内蔵されている。
【００１７】
操作部２９を操作して制御部２８によりリーダ２３を操作状態にする。銃床に特殊インクラベルが装着された小火器３３の銃床をリーダ２３に近づけると、リーダ２３に内蔵された発光部２４から特定波長の光が小火器３３の銃床の特殊インクラベルに放射され、特殊インクラベルからの反射光によりカメラ２５が肉眼では見ることができない特殊インクラベルの画像を捕らえ、画像処理部３０の画像認識処理により表示内容を電気信号として読込む。画像処理部３０で処理された画像信号により、リーダ２３に内蔵された表示部２７には特殊インクラベルの内容が同時に可視表示され、小火器３３の個別識別番号を目視で確認することもできる。画像処理部３０で処理された画像信号は外部に接続したパソコン等の端末に取り込まれて記録される。
【００１８】
また、銃床にＩＣタグが装着された小火器３３の銃床をリーダ２３に近づけると、ＩＣタグの個体識別番号などの情報がＩＣタグ読取部２６で読み取られ、ＩＣタグ読取部２６から入力される信号を信号処理部３１で処理し、パソコン等の端末に取り込まれて記録される。
【００１９】
以上のように、人員の目視確認のみに頼っていた小火器管理を電子化することにより、訓練準備時間の短縮化、個体識別番号などの誤読防止による、管理作業の効率化、管理精度の向上と小火器紛失の防止、安全性の向上を図ることが可能となる。
【００２０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２１】
【図１】本発明の実施形態に係る小火器管理システムを示す構成説明図である。
【図２】本発明の実施形態に係る小火器の銃床を示す側面図である。
【図３】本発明の実施形態に係るリーダを示す背面斜視図である。
【図４】本発明の実施形態に係るリーダを示す前面斜視図である。
【図５】本発明の実施形態に係るリーダを示す構成説明図である。
【符号の説明】
【００２２】
１１…武器庫、１２…出入口、１３…小火器、１４…ＩＣタグ、１５…特殊インクラベル、１６…リーダ（読取装置）、１７…パソコンなどの端末、１８…赤外線発生器、１９…赤外線受光器、２０…赤外線ビーム。
【図１】
2008304121.tif 000003
【図２】
2008304121.tif 000004
【図３】
2008304121.tif 000005
【図４】
2008304121.tif 000006
【図５】
2008304121.tif 000007